(57)【要約】【課題】  パッキンの種類を削減してコストの低減及び組立性の向上を実現することのできるスピーカ装置を提供する。【解決手段】  スピーカ装置21は、スピーカユニット10が取付けられたバッフル３にネジ止めされるキャビネット５と、バッフル３の突き合わせ部に突設された複数のネジ穴ボス11a〜11eと、突き合わせ部をシールする遮音パッキン23とを備える。突き合わせ部には、一部のネジ穴ボス11d,11e及びネジ穴ボス12d,12eの突設位置のみが僅かにずれているがそれ以外の全体的なシール領域の形状寸法は略共通となる２つの類似シール領域Ａ，Ｂが存在している。これらの類似シール領域Ａ，Ｂには、一部のネジ穴ボス11d,11e及びネジ穴ボス12d,12eに対応する取付穴23d,23eを類似シール領域Ａ，Ｂ相互間での位置ずれを吸収する長穴とした遮音パッキン23が使用される。【選択図】        図１
2005252599.tif 000002
【特許請求の範囲】
【請求項１】
スピーカユニットが取付けられたバッフルと、前記スピーカユニットの背面側を覆って前記バッフルに取付固定されるキャビネットと、前記バッフルと前記キャビネットとの突き合わせ部における何れか一方に突設された複数の取付ボスと、前記突き合わせ部に挟装されて該突き合わせ部をシールするパッキンと、を備えたスピーカ装置であって、
前記突き合わせ部には、一部の取付ボスの突設位置のみが僅かにずれているがそれ以外の全体的なシール領域の形状寸法は略共通となる複数の類似シール領域が存在しており、
これらの類似シール領域には、前記一部の取付ボスに対応する取付穴を類似シール領域相互間での位置ずれを吸収する長穴としたパッキンが使用されていることを特徴とするスピーカ装置。
【請求項２】
前記突き合わせ部が長方形状の枠型に形成されると共に、前記パッキンが略Ｌ字状の外郭形状を有する一対のパッキンから成ることを特徴とする請求項１に記載のスピーカ装置。
【発明の詳細な説明】
【技術分野】
【０００１】
本発明は、スピーカ装置に関する。
【背景技術】
【０００２】
従来より、スピーカユニットが取付けられたバッフルと、前記スピーカユニットの背面側を覆って該バッフルにネジ止めされるキャビネットと、を備えた各種のスピーカ装置が用いられている（例えば、特許文献１参照）。
更に、これらバッフルとキャビネットとの突き合わせ部をシールするパッキンを備えたスピーカ装置も知られている。
【０００３】
例えば、図１及び図２に示したスピーカ装置１は、スピーカユニット１０が取付けられたバッフル３と、スピーカユニット１０の背面側であるバッフル３の開放部を覆って該バッフル３にネジ止めされるキャビネット５と、これらバッフル３とキャビネット５との突き合わせ部におけるバッフル３に突設された複数のネジ穴ボス（取付ボス）１１ａ〜１１ｅ，１２ａ〜１２ｅと、前記突き合わせ部に挟装されて該突き合わせ部をシールする遮音パッキン７，８と、を備えたボックス・ウーファーである。
【０００４】
ところで、上述の如きバッフル３とキャビネット５との突き合わせ部におけるシール領域は長方形状の枠型となるが、一般にパッキンはシート状のパッキン素材より所定形状に打ち抜かれて形成されるので、パッキンを枠型に打ち抜いた際にはパッキン素材の歩留りが悪くなると共に成形型が大型化し、パッキンの生産コストが高くなってしまう。
そこで、図１に示したように、長方形状の枠型であるシール領域を２つのＬ字形状の類似シール領域Ａ，Ｂに分割し、これに対応して略Ｌ字状の外郭形状を有する一対の遮音パッキン７，８を用意することで、コスト低減を図っている。
【０００５】
また、バッフル３に突設される複数の円筒状のネジ穴ボス１１ａ〜１１ｅ，１２ａ〜１２ｅは、ネジ止めされるキャビネット５の取付け方向を特定する為、敢えて互いに非対称に配置されることも少なくない。
例えば、図３に示したように、遮音パッキン７，８が載置されるバッフル３の開口縁上の二つの類似シール領域Ａ，Ｂにおいては、大半のネジ穴ボス１１ａ，１１ｂ，１１ｃ，１２ａ，１２ｂ，１２ｃの突設位置が、これらの二つの類似シール領域Ａ，Ｂで互いに点対称となる配置になっている。
【０００６】
しかしながら、キャビネット５の取付け方向を特定する為に、一方の長辺上のネジ穴ボス１１ｄ，１１ｅ間の間隔Ｗａと、他方の長辺上のネジ穴ボス１２ｄ，１２ｅ間の間隔Ｗｂとが相違しており、その結果二つの類似シール領域Ａ，Ｂ間でのネジ穴ボス１１ｄ，１１ｅとネジ穴ボス１２ｄ，１２ｅの突設位置が、互いに非対称な配置になっている。
【０００７】
一方、各遮音パッキン７，８に形成される取付穴７ａ〜７ｆ，８ａ〜８ｆは、挿通されるネジ穴ボス１１ａ〜１１ｅ，１２ａ〜１２ｅの横断面形状に応じて設定された円形の穴であり、上述のような一方の長辺上のネジ穴ボス１１ｄ，１１ｅと他方の長辺上のネジ穴ボス１２ｄ，１２ｅとの突設位置の相違に対しては、遮音パッキン７の取付穴７ｄ，７ｅ間の間隔と遮音パッキン８の取付穴８ｄ，８ｅ間の間隔とをそれぞれ前記間隔Ｗａと前記間隔Ｗｂとに合わせて相違させることで対応していた。
【０００８】
【特許文献１】特開２００３−２８９５９２号号公報
【発明の開示】
【発明が解決しようとする課題】
【０００９】
ところが、上記のような対応では、遮音パッキン７，８は、全体的な外郭形状や寸法が殆ど同じでも、一部の取付穴７ｄ，７ｅと取付穴８ｄ，８ｅとの形成位置が僅かにずれているだけで別部品となり、共用することができない。
例えば、図４に示したように、一方の長辺上のネジ穴ボス１１ｄ，１１ｅを装備した類似シール領域Ａに、他方の長辺上のネジ穴ボス１２ｄ，１２ｅを装備した類似シール領域Ｂの為に用意した遮音パッキン８を載置して取付けようとしても、取付穴８ｄ，８ｅにネジ穴ボス１１ｄ，１１ｅを挿通させることができない。
【００１０】
そこで、スピーカ装置１の組立時等においては、類似している別の遮音パッキン７，８をそれぞれ誤って取り付けることが無いように取り扱いに注意が必要となり、スピーカ装置１の組立性の低下を招いたり、遮音パッキン７，８毎に成形型を用意して個別に製造管理しなければならず、製造しなければならないパッキンの種類が多種小量生産となって生産コストの増大を招くという問題が一例として挙げられる。
【課題を解決するための手段】
【００１１】
請求項１に記載の発明は、スピーカユニットが取付けられたバッフルと、前記スピーカユニットの背面側を覆って前記バッフルに取付固定されるキャビネットと、前記バッフルと前記キャビネットとの突き合わせ部における何れか一方に突設された複数の取付ボスと、前記突き合わせ部に挟装されて該突き合わせ部をシールするパッキンと、を備えたスピーカ装置であって、前記突き合わせ部には、一部の取付ボスの突設位置のみが僅かにずれているがそれ以外の全体的なシール領域の形状寸法は略共通となる複数の類似シール領域が存在しており、これらの類似シール領域には、前記一部の取付ボスに対応する取付穴を類似シール領域相互間での位置ずれを吸収する長穴としたパッキンが使用されていることを特徴とする。
【発明を実施するための最良の形態】
【００１２】
本発明に係わるスピーカ装置の実施の形態について説明する。
本発明のスピーカ装置は、スピーカユニットが取付けられたバッフルと、前記スピーカユニットの背面側を覆って前記バッフルに取付固定されるキャビネットと、前記バッフルと前記キャビネットとの突き合わせ部における何れか一方に突設された複数の取付ボスと、前記突き合わせ部に挟装されて該突き合わせ部をシールするパッキンと、を備えたスピーカ装置であり、前記突き合わせ部には、一部の取付ボスの突設位置のみが僅かにずれているがそれ以外の全体的なシール領域の形状寸法は略共通となる複数の類似シール領域が存在しており、これらの類似シール領域には、前記一部の取付ボスに対応する取付穴を類似シール領域相互間での位置ずれを吸収する長穴とし、外郭形状及び寸法を共通にしたパッキンが使用される。
【００１３】
即ち、バッフルとキャビネットとの突き合わせ部に挟装されて該突き合わせ部をシールするパッキンは、突設位置が僅かにずれた一部の取付ボスに対応する取付穴が類似シール領域相互間での位置ずれを吸収する長穴とされるので、一部の取付ボスの僅かな位置ずれのために個別に各類似シール領域に応じた取付穴の位置を変更したパッキンを製造する必要がなくなると共に、パッキンの取付け方向の制約がなくなる。
【００１４】
従って、パッキンの種類を削減してコストの低減を図ることができると共に、スピーカ装置の組立時等においても類似している多種のパッキンを一々識別したり、取付け方向に注意したりする負担が減り、組立性の向上を実現することができる。
更に、前記突き合わせ部が長方形状に形成されると共に、前記パッキンが略Ｌ字状の外郭形状を有する一対のパッキンから成ることにより、同一形状の各パッキンをシート状のパッキン素材より打ち抜き形成する際の歩留りが向上すると共に成形型が小型化し、パッキンの生産コストを低減できる。
【実施例】
【００１５】
以下、本発明の一実施例に係るスピーカ装置について、図面を参照して詳細に説明する。
図５は本発明の一実施例に係るスピーカ装置の分解斜視図であり、図６は図５に示したバッフルに遮音パッキンを載置した状態を示す平面図である。
【００１６】
本実施例のスピーカ装置２１は、図５に示すように、スピーカユニット１０が取付けられたバッフル３と、スピーカユニット１０の背面側であるバッフル３の開放部を覆って該バッフル３にネジ止めされるキャビネット５と、これらバッフル３とキャビネット５との突き合わせ部におけるバッフル３に突設された複数のネジ穴ボス（取付ボス）１１ａ〜１１ｅ，１２ａ〜１２ｅと、前記突き合わせ部に挟装されて該突き合わせ部をシールする一対の遮音パッキン（パッキン）２３，２３と、を備えたボックス・ウーファーである。
【００１７】
そして、図５及び図６に示したように、一対の遮音パッキン２３，２３が載置されるバッフル３の開口縁上の二つの類似シール領域Ａ，Ｂにおいては、大半のネジ穴ボス１１ａ，１１ｂ，１１ｃ，１２ａ，１２ｂ，１２ｃの突設位置が、これらの二つの類似シール領域Ａ，Ｂで互いに点対称となる配置になっている。
【００１８】
しかしながら、キャビネット５の取付け方向を特定する為に、一方の長辺上のネジ穴ボス１１ｄ，１１ｅ間の間隔Ｗａと、他方の長辺上のネジ穴ボス１２ｄ，１２ｅ間の間隔Ｗｂとが相違しており、これら一部のネジ穴ボス１１ｄ，１１ｅ及びネジ穴ボス１２ｄ，１２ｅの突設位置のみが僅かにずれている。その結果、二つの類似シール領域Ａ，Ｂ間でのネジ穴ボス１１ｄ，１１ｅとネジ穴ボス１２ｄ，１２ｅの突設位置は、互いに非対称な配置になっている。
【００１９】
一方、前記遮音パッキン２３は、長方形状の枠型であるシール領域を２つに分割したＬ字形状の類似シール領域Ａ，Ｂに対応して、略Ｌ字状の外郭形状を有している。そこで、遮音パッキン２３をシート状のパッキン素材より打ち抜き形成する際の歩留りが向上すると共に成形型が小型化し、パッキンの生産コストを低減できる。
そして、それぞれの類似シール領域Ａ，Ｂに使用する遮音パッキン２３に形成される取付穴２３ａ，２３ｂ，２３ｃ，２３ｆは、挿通されるネジ穴ボス１１ａ〜１１ｃ，１２ａ〜１２ｃの横断面形状に応じて設定された円形の穴である。
【００２０】
又、類似シール領域Ａ，Ｂ間での突設位置が互いに非対称な配置になっているネジ穴ボス１１ｄ，１１ｅ又はネジ穴ボス１２ｄ，１２ｅに挿通される遮音パッキン２３の取付穴２３ｄ，２３ｅは、類似シール領域Ａ，Ｂ相互間での取付穴の位置ずれを吸収する長穴である長円形に設定されている。
図６に示したように、前記取付穴２３ｄ，２３ｅは、互いに隣接した側の円弧中心の間隔が前記ネジ穴ボス１１ｄ，１１ｅ間の間隔Ｗａに相応すると共に、互いに離れた側の円弧中心の間隔が前記ネジ穴ボス１２ｄ，１２ｅ間の間隔Ｗｂに相応するように、長軸方向の長さが設定されている。
【００２１】
以上に説明した本実施例のスピーカ装置２１によれば、バッフル３とキャビネット５との突き合わせ部に挟装されて該突き合わせ部をシールする遮音パッキン２３は、突設位置が僅かにずれた一部のネジ穴ボス１１ｄ，１１ｅ及びネジ穴ボス１２ｄ，１２ｅに対応する取付穴２３ｄ，２３ｅが類似シール領域Ａ，Ｂ相互間での位置ずれを吸収する長円形とされている。
【００２２】
そこで、本実施例のスピーカ装置２１は、一部のネジ穴ボス１１ｄ，１１ｅ及びネジ穴ボス１２ｄ，１２ｅの僅かな位置ずれのために個別に各類似シール領域Ａ，Ｂに応じて取付穴７ｄ，７ｅと取付穴８ｄ，８ｅの形成位置を変更した二種類の遮音パッキン７，８を用意する必要がなく、一種類の遮音パッキン２３を製造すればよい（図１、参照）。従って、パッキンの種類を削減してコストの低減を図ることができる
【００２３】
また、遮音パッキン２３は、各取付穴２３ａ〜２３ｆが長辺部分又は短辺部分の各中心線に対して線対称に配置されているので、バッフル３の開口縁上に載置する際の取付け方向の制約がなくなる。従って、スピーカ装置１の組立時においては、類似している複数種の遮音パッキンを一々識別したり、取付け方向に注意したりする負担が減り、組立性の向上を実現することができる。
【００２４】
尚、本発明のスピーカ装置におけるスピーカユニット、バッフル、キャビネット、取付ボス及びパッキン等の構成は、上記実施例のスピーカ装置２１の構成に限定されるものではなく、本発明の趣旨に基づいて種々の形態を採りうることは勿論である。
上記実施例のスピーカ装置２１では、長方形状の枠型であるシール領域をＬ字形状の類似シール領域Ａ，Ｂの２つに分割したが、本発明はこれに限定されるものではない。
【００２５】
例えば、バッフル３とキャビネット５との突き合わせ部の大きさによっては、長方形状の枠型のシール領域を各辺毎に４つに分割し、長辺用及び短辺用の２種の遮音パッキンにより突き合わせ部をシールする構成も考えられる。
又、一部のネジ穴ボス１１ｄ，１１ｅ及びネジ穴ボス１２ｄ，１２ｅの突設位置のみが僅かにずれているがそれ以外の全体的なシール領域の形状寸法は略共通となる複数の類似シール領域に応じた取付穴を有する本発明のパッキンとしては、長方形状の枠型に形成した遮音パッキンを除外するものではなく、シート状のパッキン素材より打ち抜き形成する際の歩留りが悪くなる点を除いては、上述した遮音パッキン２３と略同様の作用効果を得ることができる。
【００２６】
更に、上記実施例スピーカ装置２１では、一部のネジ穴ボス１１ｄ，１１ｅ及びネジ穴ボス１２ｄ，１２ｅの突設位置のみが僅かにずれている２つの類似シール領域Ａ，Ｂが同一バッフル３上に存在する場合を示したが、ステレオスピーカ等のように、左右のスピーカ装置の異なるバッフル上に複数の類似シール領域が存在するような場合にも応用可能である。
又、バッフル３にキャビネット５をネジ止めする為のネジ穴ボス１１ａ〜１１ｅ，１２ａ〜１２ｅに換えて、バッフル３に取付ボスである溶着ボスを突設し、バッフル３とキャビネット５を熱溶着により取付固定することもできる。
【図面の簡単な説明】
【００２７】
【図１】従来のスピーカ装置の分解斜視図である。
【図２】図１に示したスピーカ装置の組立斜視図である。
【図３】図１に示したバッフルに遮音パッキンを載置した状態を示す平面図である。
【図４】図３に示したバッフルに遮音パッキンを誤って載置した状態を示す平面図である。
【図５】本発明の一実施例に係るスピーカ装置の分解斜視図である。
【図６】図５に示したバッフルに遮音パッキンを載置した状態を示す平面図である。
【符号の説明】
【００２８】
３  バッフル
５  キャビネット
１０  スピーカユニット
１１ａ〜１１ｅ  ネジ穴ボス（取付ボス）
２３  遮音パッキン（パッキン）
２３ａ〜２３ｆ  取付穴
Ａ，Ｂ  類似シール領域
【図１】
2005252599.tif 000003
【図２】
2005252599.tif 000004
【図３】
2005252599.tif 000005
【図４】
2005252599.tif 000006
【図５】
2005252599.tif 000007
【図６】
2005252599.tif 000008